(57)【要約】【課題】体温計において、検温中における検温部の位置ズレや落下を防止し、検温が迅速且つ確実に行えるようにし、また正確な検温ができるようにする。【解決手段】体温表示部（５）を有する棒状の本体部（２）の一端側に検温部（３）が設けられ、この検温部（３）が前記本体部（２）における検温部（３）の近傍よりも太く形成され、丸みを帯びた形状とされたものとする。【選択図】図１
0003113692.tif 000002
【実用新案登録請求の範囲】
【請求項１】
体温表示部（５）を有する棒状の本体部（２）の一端側に検温部（３）が設けられ、この検温部（３）が前記本体部（２）における検温部（３）の近傍よりも太く形成され、丸みを帯びた形状とされていることを特徴とする体温計。
【請求項２】
前記検温部（３）は、前記本体部（２）の長手方向に対して、その幅寸法（Ｗ）が厚さ寸法（Ｔ）よりも大きく形成された扁平型とされていることを特徴とする請求項１に記載の体温計。
【請求項３】
前記検温部（３）は、立体的に膨らませたハート型形状とされ、そのハート型の尖端側が本体部（２）側へ向けられた形状とされていることを特徴とする請求項１又は２に記載の体温計。
【請求項４】
前記本体部（２）における検温部（３）の近傍の外周が括れてできる腋堅め凹部（９）が形成されていることを特徴とする請求項１乃至請求項３のいずれかに記載の体温計。
【請求項５】
前記体温表示部（５）に表示される体温を検知する検温手段（７）が、前記検温部（３）の外表面に露出して設けられていることを特徴とする請求項１乃至請求項４のいずれかに記載の体温計。
【請求項６】
前記検温部（３）は、前記体温表示部（５）に表示される体温を検知する検温手段（７）と、その外側に設けられた熱伝導効率の高い素材で形成された検温ヘッド（８）により構成されていることを特徴とする請求項１乃至請求項４のいずれかに記載の体温計。
【請求項７】
前記検温ヘッド（８）は、検温手段（７）に対して着脱自在とされていることを特徴とする請求項６に記載の体温計。
【考案の詳細な説明】
【技術分野】
【０００１】
本考案は、体温計に関するものである。
【背景技術】
【０００２】
水銀やアルコール等の熱媒体を用いた体温計（以下「水銀等式体温計」と言う）であれ、電子体温計であれ、多くの体温計は、棒状の本体部の一端側の先端部に突出して設けられた検温部が先細りし、直径で５ｍｍに満たない細いプローブになっている（例えば、特許文献１や２等参照）。
なお、水銀等式体温計には、本体がガラス製であるが故に、把持した指先から滑り落ち易いという問題への対策として、本体部上端（検温部とは反対側の端部）へゴムキャップ状のカバーを装着し、使用前準備の振り下げ動作や使用中（検温中）の取り扱い等で落下防止を図るという提案がなされたものがあった（上記特許文献１）。
【特許文献１】特開２００２−２５７６３７号公報
【特許文献２】特開平１０−４８０６０号公報
【考案の開示】
【考案が解決しようとする課題】
【０００３】
従来周知となっている各種の体温計では、上記したように先端の検温部が先細りしているため、腋下へ検温部を挟んだ後も、この腋下から滑り落ちてしまうことがあった。実際に床まで落下しなくても、腋下の所定位置からズレて、正確な検温ができないということもあった。
これらのことは被検温者が座位、立位、寝位のいずれの姿勢にあるときも起こる。また被検温者が高齢者や小児であるとき、体温計が検温時間の長い水銀等式体温計であるときによく起こる傾向にあるが、当然のことながら被検温者の多くは体調や体力が低下しているのであるから、腋を締める力も弱っており、高齢者や小児以外でも検温部の位置ズレや落下は殊更珍しい現象ではない。
【０００４】
また小児などでは、病院などで体温計を差し向けるだけで泣き出すといったことも珍しくないが、このような事例では、検温部が尖って銀色に輝いていることから注射針等を連想してしまうなど、一種の先端恐怖症を起こしているか、又は先端恐怖症までには至らずしも不安感を煽っているのではないか、と推察することができる。
従来周知の各種体温計（本体部上端にゴムキャップ状のカバーを装着したものを含む）では、これらの不具合に対して何ら対策が採られていなかった。
本考案は、上記事情に鑑みてなされたものであって、検温中における検温部の位置ズレや落下を防止して、検温が無駄時間を費やすことなく迅速且つ確実に行えるようにし、また正確な検温ができるようにした体温計を提供することを目的とする。
【課題を解決するための手段】
【０００５】
前記目的を達成するために、本考案は次の手段を講じた。
即ち、本考案に係る体温計は、体温表示部を有する棒状の本体部の一端側に検温部が設けられ、この検温部が前記本体部における検温部の近傍よりも太く形成され、丸みを帯びた形状とされている。
このように検温部のボリュウムを大きくすることで、腋下へ検温部を挟んだとき、被検温者は検温部の存在感を触感として認識することができるため、無意識的に腋を締めるようになる。しかも腋を締める程度は少なくても十分である。のみならず、検温部のボリュウムが大きいために腋下に対する実質的な滑止め効果や引っ掛かり効果が奏し得られるようになり、そもそも被検温者が腋を締めること自体、不要になる場合すらある。
【０００６】
なお、単にボリュウムを大きくするだけでなく、全体として丸みを持たせてあるので、被検温者は腋下で強烈な違和感や痛みを覚えることがない。
これらのことから、本考案に係る体温計では、検温中における検温部の位置ズレや落下が防止され、もって正確な検温ができるようになる。また、検温部に尖ったイメージが無くなるので、被検温者に対して先端恐怖症に似た恐怖感や不安感等を抱かせるおそれがなくなる。このために小児などが検温時に泣き出すといったことも防止できる。
検温部のボリュウムをどの程度、大きくさせるかの目安は、検温部の外周りにおいて最も細い部分の対向間距離が例えば５ｍｍを超える寸法とする。棒状物においてその直径が５ｍｍに達しないものは細すぎ、腋下での存在感を確実に認識するには不十分であり、また滑り止め効果や引っ掛かり効果も期待が薄く、先端の尖ったイメージも払拭できない。また検温部を例えば板状とした場合においてもその厚さが５ｍｍに達しないものは薄すぎ、やはり腋下での存在感を確実に認識するには不十分であり、また滑り止め効果や引っ掛かり効果も期待が薄いということがある。
【０００７】
すなわち、従来の一般の水銀等式体温計では、本体部太さ（横断面楕円形の長径）が６
〜８ｍｍ程度でその検温部の近傍の太さ（径）が２．５〜３ｍｍ程度であり、また電子体温計でも本体部の太さ（幅または厚みの径）が１２〜１５ｍｍ程度でその検温部の近傍の太さ（幅または厚みの径）が３〜４ｍｍ程度であることを考慮すれば、本考案の検温部の太さ（幅または厚みの径）としては５ｍｍを超える寸法が必要である。より好ましくは、本考案の検温部の太さとしては８〜１０ｍｍ以上が良い。一方、検温部は脇下に挟める程度でなければならないから、検温部の最大太さとしては３５ｍｍ程度以下でなければならず、好ましくは３０〜２０ｍｍ以下であり、本考案者の実験によれば、検温部の太さは１０〜２５ｍｍが適当である。
【０００８】
検温部は、本体部の長手方向に対して、その幅寸法が厚さ寸法よりも大きく形成された扁平型とすることができる。ここで、幅寸法とは本体部の長手方向をＸ軸方向とおいたときのＹ軸方向の寸法をいい、厚さ寸法とは本体部の長手方向をＸ軸方向とおいたときのＺ軸方向の寸法をいう。
このように検温部を扁平型とすることで、被検温者は腋下で強烈な違和感や痛みを覚えることがない。
また、検温部は、その側面視形状が本体部側へ尖端方向を向けた立体的なハート型に形成することができる。すなわち、本体部の太さの二等分線を検温部へ向けて延長したときに、検温部の側面上を通るようにできる仮想境界線に対し、これを中心にした両側をボリュウムのある流面状に膨らませた形状とする。
【０００９】
このような形状は、理想的な形状の一つである。また、ハート形に似た形状とすることで、殊に小児などに対してソフトで受け入れやすいイメージを抱かせることができ、リラックス感、安心感等に導きやすい利点がある。
なお、検温部は、被検温者の腋下に腕を降ろした状態でできる窪みの内面に沿って面接触可能となるボリュウムをもって形成するのが好適である。このようにすることで、被検温者は腋下で強烈な違和感や痛みを覚えることがないという利点を、一層強く且つ確実に得ることができる。
【００１０】
また、本体部における検温部の近傍には、その外周が括れてできる腋堅め凹部を形成するのが好ましい。このように、検温部と本体部との間に、本体部外周面の少なくとも対向二面間を括らせてできる腋堅め凹部を設けておくと、検温部を被検温者の腋下へ挟んだときに腕をしっかりと降ろして腋を締めやすくなる。そのため、腋下での存在感を確実に認識でき、滑り止め効果や引っ掛かり効果も得やすくなって、結果、一層正確な検温ができるようになる。
さらに、本体部の体温表示部に表示される体温を検知する検温手段は、太くなった検温部の外表面に露出して設けることができ、このようにすることで、検温手段が腋下等の人体に押し当てられて直接接触し易く、より正確な体温測定が可能である。
【００１１】
一方、検温部は、前記体温表示部に表示される体温を検知する検温手段と、その外側に設けられた熱伝導効率の高い素材で形成された検温ヘッドにより構成するようにしても良い。また、この場合において、その検温ヘッドを検温手段に対して着脱自在としても良い。こうすることで、検温ヘッドが汚れた場合に検温部のみを取り外して洗浄、消毒することもできる。
【考案の効果】
【００１２】
本考案に係る体温計では、検温中における検温部の位置ズレや落下が防止されるので、結果として検温に無駄時間を費やすことなく迅速且つ確実に行える。
【考案を実施するための最良の形態】
【００１３】
以下、本考案の実施の形態を、図面に基づき説明する。
図１乃至図５は、本考案に係る体温計の一つの実施形態を示している。この体温計１は、本体部２とこの本体部２の一端側の先に設けられた検温部３とを有している。本実施形態の体温計１は電子体温計としても実施してある。
本体部２は棒状であり、概ね細長形体を呈して形成されたものであり、外から見える部分に体温表示部５が設けられている。本実施形態において、本体部２は断面形状が長方形の角棒状をしたものとしてあり、その厚さ寸法ｔは１０〜１５ｍｍ程度、幅寸法ｗは１５〜２５ｍｍ程度の範囲で適宜変更可能なものとしてある。ただこれはあくまでも一例であり、断面形状として正方形、四角形を超える多角形、円形、楕円形等とすることも可能であるし、その太さの数値にしても、極端に持ち難くならない範囲内で適宜変更可能である。勿論、本体部２の長さについても適宜寸法に設定すればよい。
【００１４】
本実施形態の体温計１は電子体温計であるので体温表示部５は液晶表示面とされていると共に、この体温表示部５に検温データを数値として表示させるための電子回路が本体部２の内部に収納されている。
また本体部２には、上記の電子回路へ電源供給をするための電池（乾電池や充電式電池等）を収納できるようになっており、必要に応じてこの電池の出し入れも自在になっている。そして、例えば検温部３とは反対側となる尾端等に動作スイッチ６が設けられている。
【００１５】
検温部３は、体温表示部５で表示する体温を検出するところである。本実施形態の体温計１は電子体温計であるので、この検温部３は、本体部２内に収納された電子回路と信号線で接続された検温手段７としての感温センサを有している。
この検温部３には、検温手段７の外側の周りをカバーするかたちで検温ヘッド８が設けられている。この検温ヘッド８は、熱伝導効率の高い素材として例えば窒化アルミニウム等の金属材料や熱硬化性樹脂にアルミナやシリカなどの無機セラミックス粉末を混ぜたもの等で形成され、この検温ヘッド８で受けた熱を検温手段７に伝えるようになっている。
【００１６】
なお、この検温ヘッド８は、検温手段７に対して着脱自在とすることもできる。
この検温部３において、その外形（検温ヘッド８の形状）は本体部２における検温部３の近傍（検温部３と本体部２との連なり部分）よりも太く、太さにおいてボリュウムを大きくして形成されている。なお、ここで、検温部３が本体部２における検温部３の近傍よりも太くの意味には、検温部３と本体部２との連なり部分が本体部２の他端側まで同じ太さ（寸胴）の場合には、検温部３がそれよりも太いことを含むものである。
具体的には、本体部２の長手方向をＸ軸方向（図１や図２の左右方向）とおき、このＸ軸方向に対して直交するＹ軸方向（図１の上下方向で図４の左右方向）を幅寸法（本体部２では「ｗ」を指し検温部３では「Ｗ」を指す）とし、またＸ軸方向及びＹ軸方向の双方に対して直交するＺ軸方向（図２及び図４の上下方向）を厚さ寸法（本体部２では「ｔ」を指し検温部３では「Ｔ」を指す）として説明すれば、厚さ寸法をｔ＜Ｔの関係にするか、又は幅寸法をｗ＜Ｗの関係にするか、或いはこれら両方を満たす関係にして、形成されている。
【００１７】
本実施形態では、本体部２の厚さ寸法ｔに対して検温部３の厚さ寸法Ｔを大きく（ｔ＜Ｔ）してあると共に、本体部２の幅寸法ｗに対して検温部の幅寸法Ｗも大きく（ｗ＜Ｗ）してある。
また検温部３は厚さ寸法Ｔよりも幅寸法Ｗのほうが大きくなる扁平型とされ、そのうえで全体に丸みを持たせてある。更に本体部２における検温部３の近傍（検温部３と本体部２との連なり部分）に、本体部２の外周が括れてその外周面の少なくとも対向二面間を括らせてできる腋堅め凹部９が形成されている。そのため、この検温部３は全体的に立体的なハート型形状とされ、そのハート型の尖端方向が本体部２側へ向けた側面視形状になっている。
【００１８】
このような検温部３は、被検温者の腋下に腕を降ろした状態でできる窪み（図５中に示すＨ参照）の内面に沿って面接触可能となっている。
更に、本体部２の太さ（幅寸法ｗ）の二等分線を検温部３へ向けて延長したときに、検温部３（検温ヘッド８）の側面上を通るようにできる仮想境界線（図３中の矢符Ｐ参照）に対し、これを中心にした両側をボリュウムのある流面状に膨らませた形状にすることで、立体感をも醸し出したものとしてあり、益々、上記の疑似ハート形への印象を強くさせている。
【００１９】
このようにハート型に似た形状であると、殊に小児などに対してソフトで受け入れやすいイメージを抱かせることができ、リラックス感、安心感等を導きやすい利点がある。
上記したように、検温部３は厚さ寸法Ｔよりも幅寸法Ｗのほうが大きな扁平型であるから、その外周りにおいて厚さ寸法Ｔが最も細い（対向間距離の短い）部分となる。この部分の対向間距離は、本実施形態の場合、本体部２の厚さ寸法ｔを１０〜１５ｍｍ程度としたうえで、これより検温部３の厚さ寸法Ｔを大きくしているのだから、１０ｍｍ以上あることになる。これより小さくすることは可能ではあるが、あまり小さくすると、ボリュウム感を失うことになるので最低でも５ｍｍを超える寸法にしておくのが好適となる。
【００２０】
以上の説明から明らかなように、本考案に係る体温計１では、検温部３がボリュウムを持ったものとされているので、腋下へ検温部３を挟んだとき、被検温者は検温部３の存在感を触感として認識することができるため、無意識的に腋を締めるようになる。しかも腋を示す程度は少なくても十分である。のみならず、検温部３のボリュウムにより、腋下に対する実質的な滑止め効果や引っ掛かり効果が奏し得られるようになり、そもそも被検温者が腋を締めること自体、不要になる場合すらある。
従って、検温中における検温部３の位置ズレや落下が防止され、もって無駄時間を費やすことなく検温が迅速且つ確実に行え、正確な検温ができるようになる。このことは、検温のやり直しを防止できることから、結果、電池の消耗を抑制し、電池寿命を長引かせる利点にも繋がる。
【００２１】
また、検温部３に尖ったイメージが無くなるので、これを看る者に対して先端恐怖症に似た恐怖感や不安感等を抱かせるおそれがなくなる。このために小児などが検温時に泣き出すといったことも防止できる。検温部３を疑似ハート形に形成した場合、被検温者は、見た目以上に腋下で強烈な違和感や痛みを覚えることがないという利点を、一層強く且つ確実に得ることができる。
腋堅め凹部１５が設けられているので、図５に示すように、検温部３を被検温者の腋下へ挟んだとき、被検温者は腕をしっかりと降ろして腋を締めやすくなる。そのため、被検温者は検温部３を腋下で挟んだ存在感を確実に認識でき、滑り止め効果や引っ掛かり効果も得やすくなって、結果、一層正確な検温ができるようになる。
【００２２】
ところで、本考案は、検温部３において検温手段７を設ける構造や配置、配置数等は何ら上記実施形態に限定されるものではなく、実施の形態に応じて適宜変更可能である。
すなわち、検温手段７を検温部３の外側へ露出させるかたちとしてもよい。この場合、図１において仮想線で示すような窓１０を検温部３に設けて 検温手段７の一部又は全部を検温部３から露出させてもよい。
また、図６に示すように検温部３の外周縁を縁取るように検温手段７を設けて検温部３の外表面に検温手段７を露出するようにしてもよく、図７に示すように検温部３の表裏両側面に検温手段７を設けて検温部３の外表面に検温手段７を露出するようにしてもよい。このようにすることで、検温手段７を検温部３の太さと相俟って直接被検温者に接触させ易くなり、検温も一層確実に行えるようになる。そして、複数の検温手段７が設けられている場合には、電子体温計の場合にはそのプログラムで最も高い温度を検知した検温手段７のデータを用いたり、複数の検温手段７の平均値を表示するように設定することもできる。
【００２３】
また、検温部３の形成材料についても、樹脂製やゴム製等とし、なるべく柔軟性を有したものや半透明性を有したものなどにしたり、薄い桃色、黄色がかったベージュ、黄緑などの淡い色あいにして、リラックス感や安心感を一層引き立たせるようにしてもよく、その形状も、木、自動車、あめ玉、キャラクターなどの適宜模造形状を採用することもでき、外観上の暖かさや優しさ等を演出し、これをもってリラックス感や安心感を一層引き立たせるための一助とさせてもよい。
なお、本考案に係る体温計１は、水銀等式体温計として実施してもよく、この場合、本体部２に設ける体温表示部５は、目盛りとなる。
【図面の簡単な説明】
【００２４】
【図１】本考案に係る体温計の一実施形態を示した側面図である。
【図２】図１のＡ−Ａ線矢視図である。
【図３】図１のＢ−Ｂ線拡大矢視図である。
【図４】図１のＣ−Ｃ線拡大矢視図である。
【図５】本考案に係る体温計における使用例を示した正面図である。
【図６】本考案に係る体温計の検温部における別実施形態を示した側面図である。
【図７】本考案に係る体温計の検温部における更なる別実施形態を示した図（図３と同じ視角で示した図）である。
【符号の説明】
【００２５】
１  体温計
２  本体部
３  検温部
５  体温表示部
７  検温手段
８  検温ヘッド
９  腋堅め凹部
Ｔ  検温部の厚さ寸法
Ｗ  検温部の幅寸法
【図１】
0003113692.tif 000003
【図２】
0003113692.tif 000004
【図３】
0003113692.tif 000005
【図４】
0003113692.tif 000006
【図５】
0003113692.tif 000007
【図６】
0003113692.tif 000008
【図７】
0003113692.tif 000009